(57)【要約】  【課題】  ボードが床部の端面へのロックが完了したことを確実に認識できるようにする。  【解決手段】マットレスが載置される床部の端部に、ボードの化粧面が連結機構を介して連結されたベッドにおいて、前記連機構を、前記床部の一方端部から幅外方向に延出し且つスロットが形成されたブラケットと、前記マットレス化粧面に設けられ且つ幅内方向に移動された時に前記スロット内に受容されるロック部材と、前記ロック部材が移動するたびにとクリック音を発生させる発音機構とから構成した【選択図】  図４
2006109883.tif 000002
【特許請求の範囲】
【請求項１】
マットレスが載置される床部の端部に、ボードの化粧面が連結機構を介して連結されたベッドにおいて、前記連結機構を、前記床部の一方端部から幅外方向に延出し且つスロットが形成されたブラケットと、前記ボード化粧面に設けられ且つ前記床部の幅内方向に移動された時に前記スロット内に受容されることにより前記床部に前記ボードをロックするロック部材と、前記ロック部材の移動に伴いクリック音を発生させる発音機構とから構成したことを特徴とする、ベッド。
【請求項２】
前記発音機構は、前記ボードの化粧面内に配置されたスプリングと、前記スプリングにより常時前記ロック部材に押圧されるボールと、前記ロック部材に形成されて前記ロック部材が前記スロット内への出入り時、前記ボールが挿脱する穴とから形成される、請求項１記載のベッド。
【発明の詳細な説明】
【技術分野】
【０００１】
本発明は、ベッドに関し、特にベッドにおける頭側または脚側のボードの、床部への連結構造に関するものである。
【背景技術】
【０００２】
最近、ベッドにおいて、搬送しやすくするために、ベッド頭側、脚側に設けられる、合板、合成樹脂製のボードを、メインフレーム長手側端面において着脱可能に構成したものがある。その一例が、特許文献１に開示されている。しかして、この構造は、次のようなものである。
【０００３】
「ベッドのメインフレームの端部に鉤状部材を設けてボードを係止金具を介して前記鉤状部材に係止させ、前記係止金具は、鉤状部材に係合するピン部材と、ピン部材下方に設けたロック機構とを有し、このロック機構は鉤状部材下面に当接するストッパと、このストッパを鉤状部材下面において当接／離脱させるためのレバーとを具備する構造。」
かような構造においては、ボードは、ベッドのメインフレームの端部における鉤状部材の係合部位に、係止金具のピン部材をかけることで、容易に係止保持される。この際、ロック機構のレバーを回動させると、ストッパは連動回動して鉤状部材下面に当接し、ボー
ドは鉤状部材にロックされた状態となる。また、ボードを取り外すには、ロック機構のレバーを回動させて、ストッパを鉤状部材下面から回動離脱させることでロックを解除し、ボードを斜め上方に引き上げ、簡単に行うことが出来る。
【特許文献１】実開平５−１８３５５号公報
【発明の開示】
【発明が解決しようとする課題】
【０００４】
特許文献１に開示された構造を採用すれば、確かに、うっかりボードを持ち上げても、外れることはなく、また、ロック機構のロックを外せば簡単にボードを取り除くことが可能であり、故障もなく取り扱いも容易であり、評価されてしかるべきである。
【０００５】
しかしながら、ベッドのメインフレームの端部における鉤状部材の係合部位に、係止金具のピン部材をかけてボードの係止保持が確実になされたかがわからないことがある。
【０００６】
それ故に、本発明は、ボードが確実にロックされたことを認識できるベッドを提供することを、その技術的課題とする。
【課題を解決するための手段】
【０００７】
上記の課題を解決するために講じた技術的手段は、請求項１に記載のように、
「マットレスが載置される床部の端部に、ボードの化粧面が連結機構を介して連結されたベッドにおいて、前記連機構を、前記床部の一方端部から幅外方向に延出し且つスロットが形成されたブラケットと、前記マットレス化粧面に設けられ且つ幅内方向に移動された時に前記スロット内に受容されるロック部材と、前記ロック部材が移動するたびにとクリック音を発生させる発音機構とから構成したことを特徴とする、ベッド。」
を構成したことである。
【０００８】
尚、請求項２に記載のように、請求項１におけるベッドの発音機構は、ボードの化粧面内に配置されたスプリングと、スプリングにより前記ロック部材に押圧されるボールと、ロック部材に形成されてロック部材が前記スロット内への出入り時、ボールが挿脱する穴とから形成されるにが、望ましい。
【発明の効果】
【０００９】
本発明によれば、ボード側のロック部材が、床部側のブラケットのスロットに受容されたときにクリック音が発せられるので、ボードの床部へのロック完了を確実に認識できる。
【発明を実施するための最良の形態】
【００１０】
以下、本発明に係る昇降ベッドの実施形態の一例を、図面を参照して詳細に説明する。
【００１１】
図１〜図３において、昇降ベッド１０は、床面Ｆに上向きに設置された頭側脚部１２に沿って昇降する第１駆動機構２０と、床面Ｆに上向きに設置された足側脚部１４に沿って昇降する第２駆動機構３０とを備える。しかして、第１駆動機構２０の内部構造部（図示略）はケーシング２２内に収容されている。他方、第２駆動機構３０の内部構造部（図示略）も、同様に、ケーシング３２内に収容されている。第１駆動機構２０及び第２駆動機構３０の内部構造部としては、例えば、特開２０００−３３３７８７号公報や特開２００１−４６１７９号公報に開示されたものを、援用することが出来る。
【００１２】
第１駆動機構２０のケーシング２２は、連結部材２８を介して床部５０の一端部と連結される。同様に、第２駆動機構３０のケーシング３２は、連結部材３８を介して床部５０の他端部と連結される。しかして第１駆動機構２０と第２駆動機構３０とは同期して昇降されるように構成されているので、第１駆動機構２０と第２駆動機構３０を適宜駆動すれば、マットレス（図示略）が載置される床部５０の床面Ｆからの高さを所望の位置にセットでき、例えば、介護に最適な位置をもたらすことが出来る。
【００１３】
床部５０の一端部には、ヘッドボード６０が、連結手段８０を介して連結されている。このヘッドボード６０は、床部５０の一端部と第１駆動機構２０のハウジング２２との連結部（つまり連結部材２８）を跨ぐようにして、床部５０の一端部と第１駆動機構２０のハウジング２２との間に設けられる。尚、床部５０の一端部からは平面部（図示略）が連結部材２８の下側に位置するように延出しており、ヘッドボード６０は、この平面部に支持される。
【００１４】
ヘッドボード６０の表面は化粧板面としてマットレス側に位置し、他方、ヘッドボード６０の裏面は、第１駆動機構２０のハウジング２２の側に位置する。しかして、ヘッドボード６０の裏面には、凹部６２が形成されており、この凹部６２に、第１駆動機構２０のハウジング２２の一部分２４が、凹凸嵌合の態様で収容されている。第１駆動機構２０のハウジング２２の一部分２４が、フラットなヘッドボード６０の裏面と当接している構造とを比較した場合、昇降ベッド１０の全長が、わずかではあるが、実用上、有意な短縮を図ることが出来る。
【００１５】
上記したように、床部５０の一端部には、ヘッドボード６０が、連結手段８０を介して連結されているが、連結手段８０の詳細は、次の通りである。すなわち、図４及び図５に示されるように、床部５０の一方端部には幅外方向に延出するブラケット８１が固定される。このブラケット８１には幅外方向に開放されるスロット８２が形成される。他方、ヘッドボード６０の化粧面の下側には、一対のレール９０・９０が固定されている。このレール９０・９０間には、幅内方向に移動可能なロック部材９１が設けられる（尚、ロック部材９１がレール９０・９０間から脱落しないようにする手段は、図示が省略される）。ロック部材９１の一方側（床部５０に近い側）には、ノブ９２が固定されており、このノブ９２を持って幅内方向にロック部材９１を移動させると、ロック部材９１がブラケット８１のスロット８２に受容される。この受容が、他方の連結手段８０においてもなされたとき、ヘッドボード６０は床部５０の一端部にロックされる。
【００１６】
しかして、ロック部材９１がブラケット８１のスロット８２に受容される時に（つまりロック部材９１がロック状態になった時）及びロック部材９１がブラケット８１のスロット８２から完全に離脱した時（つまりロック部材９１がロック状態になった時）、クリック音が出て、ロック（アンロック）が確実に認識できるようになっている。すなわち、ロック部材９１がロック状態にある場合、ロック部材９１の裏面は、ヘッドボード６０内のスプリング９３の付勢力を受けるボール９４と当接している。しかして、ノブ９２を持って幅内方向にロック部材９１を移動させると、ロック部材９１がブラケット８１のスロット８２に受容されると同時に、ボール９４が、ロック部材９１の他方側に穿設された穴９５に部分的に嵌り込む。このとき、クリック音が出る。これにより常にロック部材９１がロックされたことを認識できる。また、ノブ９２を持って幅外方向にロック部材９１を移動させると、ロック部材９１がブラケット８１のスロット８２から離脱してアンロック状態となる。このとき、ロック部材９１の他方側に穿設された穴９５に部分的に嵌り込んでいたボール９４が穴９５から出てくることの伴い、クリック音が出る。これにより常にロック部材９１がアンロックされたことを認識できる。
【００１７】
尚、図示こそしないが、同様な構造が、フットボード側にも採用される。
【図面の簡単な説明】
【００１８】
【図１】本発明に係る昇降ベッドの模式的側面図である。
【図２】図１の昇降ベッドにおける、ヘッドボードが連結部材を跨ぐ状態を示す図である。
【図３】図１の昇降ベッドにおける、ヘッドボードの配列態様を示す模式的平面図である。
【図４】床部の一端部とヘッドボードとを連結する連結手段の説明図。
【図５】図４のＡ−Ａ線に沿う断面図。
【符号の説明】
【００１９】
１０  昇降ベッド
１２  頭側脚部
１４  足側脚部
２０  第１駆動機構
２２  ハウジング
２４  ハウジングの一部
２８  連結部材
３０  第２駆動機構
３２  ハウジング
３４  ハウジングの一部
５０  床部
６０  ヘッドボード
６２  凹部
７０  フットボード
７２  凹部
８０  連結手段
８１  ブラケット
８２  スロット
９０  レール
９１  ロック部材
９２  ノブ
９３  スプリング
９４  ボール
９５  穴
Ｆ    床面
【図１】
2006109883.tif 000003
【図２】
2006109883.tif 000004
【図３】
2006109883.tif 000005
【図４】
2006109883.tif 000006
【図５】
2006109883.tif 000007